(57)【要約】【課題】装置価格を低く抑えつつ検査を正確に行い得るターミネータを提供することを主目的とする。【解決手段】ＬＡＮケーブル１０の被装着用コネクタ１２，１３に装着される装着用コネクタ３０と、複数の抵抗Ｒａ〜Ｒｈとを備え、各抵抗は、一端部が相互に接続されかつ他端部が装着用コネクタ３０にそれぞれ接続されると共に各抵抗Ｒａ〜Ｒｈのうちの任意の２つの抵抗の組み合わせの直列合成抵抗値と任意の２つの抵抗の他の組み合わせの直列合成抵抗値とが互いに異なるように規定され、さらに各抵抗のうちのいずれか２つにおける各他端部の間に接続されたコンデンサＣを備えている。【選択図】図１
2009204585.tif 000002
【特許請求の範囲】
【請求項１】
多芯ケーブルの被装着用コネクタに装着される装着用コネクタと、複数の抵抗とを備え、当該各抵抗は、一端部が相互に接続されかつ他端部が前記装着用コネクタにそれぞれ接続されると共に任意の２つの当該抵抗の組み合わせの直列合成抵抗値と任意の２つの当該抵抗の他の組み合わせの直列合成抵抗値とが互いに異なるように規定された多芯ケーブル検査用のターミネータであって、
前記各抵抗のうちのいずれか２つにおける前記各他端部の間に接続されたコンデンサを備えているターミネータ。
【請求項２】
前記各抵抗の中から選択操作によって選択された任意の２つの抵抗における前記各他端部の間に前記コンデンサを接続可能な選択接続部を備えている請求項１記載のターミネータ。
【請求項３】
請求項１または２記載のターミネータと、多芯ケーブルにおける複数の導線の両端部にそれぞれ接続された各被装着用コネクタの一方に装着された前記ターミネータを識別する識別検査を実行可能な本体部とを備えた多芯ケーブル検査装置であって、
前記本体部は、前記各被装着用コネクタの他方を装着可能な検査用コネクタと、当該検査用コネクタに前記他方の被装着用コネクタが装着された前記多芯ケーブルに対して検査用信号を供給する信号供給部と、前記識別検査を実行する検査部とを備え、
前記信号供給部は、前記多芯ケーブルにおける選択されたいずれか２本の前記導線の一方と所定電位とを接続すると共に当該所定電位に一端部が接続された検査用抵抗の他端部に当該いずれか２本の導線の他方を接続した状態において当該一方の導線と当該所定電位との間に交流電圧が重畳した前記検査用信号としての検査用直流電圧を供給する電圧供給処理を実行し、
前記検査部は、前記識別検査時において、前記電圧供給処理が実行されている状態における前記検査用抵抗の前記両端部の電圧に基づいて前記ターミネータを識別する多芯ケーブル検査装置。
【発明の詳細な説明】
【技術分野】
【０００１】
本発明は、多芯ケーブル検査用のターミネータ、および多芯ケーブルに装着されたターミネータを識別する識別検査を実行可能に構成された多芯ケーブル検査装置に関するものである。
【背景技術】
【０００２】
複数の導線の両端部に被装着用コネクタがそれぞれ接続された多芯ケーブル（一例としてＬＡＮケーブル）についての電気的検査を行う多芯ケーブル検査装置として、特開２００２−２５７８８８号公報において出願人が開示した多芯ケーブル検査装置（以下、単に「検査装置」ともいう）が知られている。この検査装置は、多芯ケーブルの被装着用コネクタ（受信用コネクタ）に装着可能に構成されると共に多芯ケーブルにおける導線（ケーブル）の本数と同数の抵抗を備えたターミネータ（受信側ユニット）と、被装着用コネクタにターミネータを装着した状態の多芯ケーブルについての電気的検査を実行する送信側ユニットとを備えて構成されている。この場合、このターミネータは、各抵抗のうちの任意の２つの抵抗の組み合わせの直列合成抵抗値と任意の２つの抵抗の他の組み合わせの直列合成抵抗値とが互いに異なる、つまり２つの抵抗の直列合成抵抗値がその２つの抵抗の組み合わせの種類毎に互いに異なるように構成されている。
【０００３】
この検査装置を用いて、多芯ケーブルにおける各導線の断線や短絡、および各導線が被装着用コネクタに正しく接続されされているか否かの検査（導線検査）を行う際には、多芯ケーブルにおける一方の被装着用コネクタに検査用のターミネータを装着すると共に、他方の被装着用コネクタを送信側ユニットの検査用コネクタに装着する。この際に、多芯ケーブルの各導線がターミネータの各抵抗に接続される。次いで、送信側ユニットが、多芯ケーブルにおける各導線のうちの２本の導線の一方とグランド電位との間に試験電圧を印加させると共に、一端部がグランド電位に接続された検査用抵抗の他端部に２本の導線の他方を接続させる。続いて、送信側ユニットは、検査用抵抗の両端部の間の電圧値、つまり試験電圧の分圧の値を検出して検出した分圧の値に基づいて、２本の導線についての導線検査を行う。この場合、上記したように２つの抵抗の直列合成抵抗値がその組み合わせの種類毎に互いに異なるため、検出した分圧の値もその組み合わせの種類毎に異なることとなる。したがって、例えば、２本の導線に断線や短絡がなくかつ各導線が被装着用コネクタに正しく接続されされているときの分圧の基準値と検出した分圧の値とを比較することにより、２本の導線についての導線検査を行うことができる。以下、送信側ユニットは、同様にして、各導線のうちの他の２本の導線についての導線検査を行う。
【０００４】
一方、この検査装置は、複数の多芯ケーブルが敷設されている場合において、各多芯ケーブルの両端部に接続されている被装着用コネクタのペアを特定する際にも用いられる。この特定作業を行う際には、多芯ケーブルの本数と同数のターミネータを用意し、各ターミネータに例えば目印の番号等を記入する。この場合、各ターミネータは、各々の各抵抗のうちの所定の２つの直列合成抵抗値が各ターミネータ毎に互いに異なるように構成されている。次いで、各多芯ケーブルにおける一方の被装着用コネクタに検査用のターミネータをそれぞれ装着すると共に、各多芯ケーブルにおける他方の被装着用コネクタを送信側ユニットの検査用コネクタに装着する。続いて、送信側ユニットが、各多芯ケーブルのうちの１本における各導線のうちの所定の２本の導線（上記所定の２つの抵抗に接続されている導線）の一方とグランド電位との間に試験電圧を印加させると共に、上記した検査用抵抗の他端部に２本の導線の他方を接続させる。次いで、送信側ユニットは、検査用抵抗の両端部の間の電圧値（試験電圧の分圧）の値を検出して検出した分圧の値に基づいて、ターミネータを識別する識別検査を行う。この場合、上記したように所定の２つの抵抗の直列合成抵抗値が各ターミネータ毎に異なるため、検出した分圧の値もターミネータ毎に異なることとなる。したがって、各ターミネータについて規定された分圧の基準値と検出した分圧の値とを比較することにより、多芯ケーブルに装着されているターミネータを識別することができる。続いて、送信側ユニットは、識別検査の結果に基づき、例えば、多芯ケーブルが装着されている検査用コネクタの番号と特定したターミネータの番号とを表示する。以下、送信側ユニットは、同様にして、各多芯ケーブルに装着されている各ターミネータの識別検査、および識別検査の結果に基づく表示を行う。これにより、多芯ケーブルの両端部に接続されている被装着用コネクタのペアを特定することができる。
【特許文献１】特開２００２−２５７８８８号公報（第４−８頁、第１図）
【発明の開示】
【発明が解決しようとする課題】
【０００５】
ところが、出願人が開示している上記の検査装置には、以下の改善すべき課題が存在する。すなわち、この検査装置を用いて上記した識別検査および導線検査の双方を行う際には、検査対象の多芯ケーブルの本数と同数のターミネータを用意する必要がある。この場合、上記したように、各ターミネータは、各々における各抵抗のうちの２つの抵抗の直列合成抵抗値がその２つの抵抗の組み合わせの種類毎に互いに異なり、かつ各々の各抵抗のうちの所定の２つの抵抗の直列合成抵抗値が各ターミネータ毎に互いに異なるように構成されている。ここで、１つのターミネータが８個の抵抗を有しているときには、各抵抗のうちの２つの抵抗の組み合わせが２８種類（８！／（２！（８−２）！）＝２８）存在し、このターミネータを８個用いるときには、２つの抵抗の組み合わせが全部で２２４種類（２８×８＝２２４）存在する。このため、このように２つの抵抗の組み合わせの種類が多いときには、２つの抵抗の直列合成抵抗値の種類も多くなる。一方、送信側ユニットやターミネータの内部回路を損傷させないためには、試験電圧の電圧値を所定のレベルに抑える必要がある。この結果、上記したように２つの抵抗の組み合わせの種類が多いときには、１つの組み合わせにおける試験電圧の分圧の値と、他の１つの組み合わせにおける試験電圧の分圧の値との差が僅かとなる。したがって、識別検査および導線検査を正確に行うためには、試験電圧の分圧を高精度に検出する必要がある。したがって、この検査装置には、送信側ユニットを高性能に構成する必要があり、その分、価格を低く抑えるのが困難となるという課題が存在する。
【０００６】
本発明は、かかる課題に鑑みてなされたものであり、装置価格を低く抑えつつ検査を正確に行い得るターミネータおよび多芯ケーブル検査装置を提供することを主目的とする。
【課題を解決するための手段】
【０００７】
上記目的を達成すべく請求項１記載のターミネータは、多芯ケーブルの被装着用コネクタに装着される装着用コネクタと、複数の抵抗とを備え、当該各抵抗は、一端部が相互に接続されかつ他端部が前記装着用コネクタにそれぞれ接続されると共に任意の２つの当該抵抗の組み合わせの直列合成抵抗値と任意の２つの当該抵抗の他の組み合わせの直列合成抵抗値とが互いに異なるように規定された多芯ケーブル検査用のターミネータであって、前記各抵抗のうちのいずれか２つにおける前記各他端部の間に接続されたコンデンサを備えている。
【０００８】
また、請求項２記載のターミネータは、請求項１記載のターミネータにおいて、前記各抵抗の中から選択操作によって選択された任意の２つの抵抗における前記各他端部の間に前記コンデンサを接続可能な選択接続部を備えている。
【０００９】
また、請求項３記載の多芯ケーブル検査装置は、請求項１または２記載のターミネータと、多芯ケーブルにおける複数の導線の両端部にそれぞれ接続された各被装着用コネクタの一方に装着された前記ターミネータを識別する識別検査を実行可能な本体部とを備えた多芯ケーブル検査装置であって、前記本体部は、前記各被装着用コネクタの他方を装着可能な検査用コネクタと、当該検査用コネクタに前記他方の被装着用コネクタが装着された前記多芯ケーブルに対して検査用信号を供給する信号供給部と、前記識別検査を実行する検査部とを備え、前記信号供給部は、前記多芯ケーブルにおける選択されたいずれか２本の前記導線の一方と所定電位とを接続すると共に当該所定電位に一端部が接続された検査用抵抗の他端部に当該いずれか２本の導線の他方を接続した状態において当該一方の導線と当該所定電位との間に交流電圧が重畳した前記検査用信号としての検査用直流電圧を供給する電圧供給処理を実行し、前記検査部は、前記識別検査時において、前記電圧供給処理が実行されている状態における前記検査用抵抗の前記両端部の電圧に基づいて前記ターミネータを識別する。
【発明の効果】
【００１０】
請求項１記載のターミネータおよび請求項３記載の多芯ケーブル検査装置によれば、任意の２つの抵抗の組み合わせの直列合成抵抗値と任意の２つの抵抗の他の組み合わせの直列合成抵抗値とが互いに異なる複数の抵抗のうちのいずれか２つにおける各他端部の間に接続されたコンデンサを備えてターミネータを構成したことにより、コンデンサを接続する２つの抵抗の組み合わせを各ターミネータ毎に異ならせることで複数のターミネータを識別する識別検査を行うことができる。このため、識別検査および導線検査の双方を行う際に、所定の２つの抵抗の直列合成抵抗値を各ターミネータ毎に全て互いに異ならせる必要がない分だけ２つの抵抗の組み合わせの種類を少なくすることができる結果、１つの組み合わせにおける検査用抵抗の両端部の電圧値と他の１つの組み合わせにおける検査用抵抗の両端部の電圧値の値との差を十分に大きくすることができる。したがって、このターミネータおよび多芯ケーブル検査装置によれば、多芯ケーブル検査装置の本体部の電圧測定部等の内部回路を必要以上に高性能に構成することなく、つまり装置価格を低く抑えつつ識別検査および導線検査を十分に正確に行うことができる。
【００１１】
また、請求項２記載のターミネータおよび請求項３記載の多芯ケーブル検査装置によれば、選択操作によって選択された任意の２つの抵抗における各他端部の間にコンデンサを接続可能な選択接続部を備えてターミネータを構成したことにより、全てのターミネータを同じ構成とすることができるため、コンデンサが接続された２つの抵抗の組み合わせが互いに異なる複数種類のターミネータを製造するのと比較して、ターミネータの製造コストひいては多芯ケーブル検査装置の製造コストを十分に低く抑えることができる。
【発明を実施するための最良の形態】
【００１２】
以下、添付図面を参照して、本発明に係るターミネータおよび多芯ケーブル検査装置の最良の形態について説明する。
【００１３】
最初に、本発明に係る多芯ケーブル検査装置の検査対象としてのＬＡＮケーブル１０（本発明における多芯ケーブルの一例：図１参照）の構成について説明する。ＬＡＮケーブル１０は、同図に示すように、２本ずつ撚り合わされて４対のツイストペアに形成された８本の導線１１ａ〜１１ｈ（以下、区別しないときには「導線１１」ともいう）を備えて構成されている。また、各導線１１ａ〜１１ｈの両端部は、被装着用コネクタ１２のピン１２１ａ〜１２１ｈ、および被装着用コネクタ１３のピン１３１ａ〜１３１ｈに予め規定した対応関係でそれぞれ接続されている。この場合、このＬＡＮケーブル１０は、一例として、ストレートケーブルであって、８本の導線導線１１ａ〜１１ｈは、両被装着用コネクタ１２，１３の同一番号のピン間（例えば、ピン１２１ａとピン１３１ａとの間）に一対一の接続状態で接続されている。
【００１４】
次に、図１に示す検査装置１の構成について説明する。検査装置１は、本発明に係る多芯ケーブル検査装置の一例であって、同図に示すように、本体部２およびターミネータ３を備えて構成されている。本体部２は、複数（例えば８個）の検査用コネクタ２０ａ〜２０ｈ（以下、区別しないときには「検査用コネクタ２０」ともいう）、操作部２１、表示部２２、第１電源部２３ａ、第２電源部２３ｂ、接続切替え部２４、電圧測定部２５、記憶部２６、検査用抵抗Ｒｔおよび制御部２７を備えて構成されている。この場合、第１電源部２３ａ、第２電源部２３ｂ、接続切替え部２４および制御部２７によって本発明における信号供給部が構成され、電圧測定部２５、記憶部２６および制御部２７によって本発明における検査部が構成される。
【００１５】
検査用コネクタ２０は、図１に示すように、ＬＡＮケーブル１０における被装着用コネクタ１２のピン１２１ａ〜１２１ｈ、および被装着用コネクタ１３のピン１３１ａ〜１３１ｈに接続可能なピン２０１ａ〜２０１ｈを備え、両被装着用コネクタ１２，１３の一方を装着可能に構成されている（同図では被装着用コネクタ１２を装着した状態を図示している）。操作部２１は、検査処理の開始を指示するスタートスイッチや、検査モードを選択するモード選択スイッチ（いずれも図示せず）等を備えて構成され、各スイッチが操作されたときに操作信号Ｓｏを出力する。表示部２２は、制御部２７の制御に従って各種の表示画面を表示する。
【００１６】
第１電源部２３ａは、制御部２７の制御に従って第１直流電圧（本発明における「交流電圧が重畳した検査用信号としての検査用直流電圧」）Ｖｔ１を出力し、第２電源部２３ｂは、制御部２７の制御に従って第２直流電圧Ｖｔ２を出力する。この場合、第１直流電圧Ｖｔ１は、図２に実線の曲線で示すように、その電圧値がプラスの範囲で周期的に変化する直流電圧であって、一例として、ピーク値の振幅が２Ｖの交流電圧（同図に破線の曲線で示す電圧であって、以下「交流成分Ｖ（ＡＣ）」ともいう）に電圧値が１Ｖの直流電圧（同図に破線の直線で示す電圧であって、以下「直流成分Ｖ（ＤＣ）」ともいう）を重畳させた直流電圧が用いられる。また、第２直流電圧Ｖｔ２は、一例として、その電圧値が２Ｖで一定（または、ほぼ一定）の直流電圧が用いられる。
【００１７】
接続切替え部２４は、制御部２７の制御に従い、検査用コネクタ２０に被装着用コネクタ１２（本発明における、両被装着用コネクタの他方）が装着された状態のＬＡＮケーブル１０における８本の導線１１ａ〜１１ｈのうちの任意の２本の導線１１の一方と、第１電源部２３ａまたは第２電源部２３ｂとの接続および非接続の切替えを行う。また、接続切替え部２４は、制御部２７の制御に従い、上記２本の導線１１の他方と、所定電位（本例ではグランド電位）に一端部が接続された検査用抵抗Ｒｔの他端部との接続および非接続の切替えを行う。なお、上記２本の導線１１の一方と第１電源部２３ａとを接続すると共に導線１１の他方と検査用抵抗Ｒｔの他端部とを接続することによって導線１１の一方と上記の所定電位（グランド電位）との間に第１直流電圧Ｖｔ１を供給する処理（切替え）を、以下「第１電圧供給処理」（本発明における電圧供給処理）ともいう。また、上記２本の導線１１の一方と第２電源部２３ｂとを接続すると共に導線１１の他方と検査用抵抗Ｒｔの他端部とを接続することによって導線１１の一方と上記の所定電位との間に第２直流電圧Ｖｔ２を供給する処理（切替え）を、以下「第２電圧供給処理」ともいう。
【００１８】
電圧測定部２５は、例えばアナログ−デジタル変換回路を備えて構成され、第１直流電圧Ｖｔ１または第２直流電圧Ｖｔ２をケーブル１０（導線１１）に印加したときの検査用抵抗Ｒｔの両端部に生じる電圧Ｖｇの値を測定してその値を示す電圧データＤｏを制御部２７に出力する。記憶部２６は、制御部２７によって実行される後述する導線検査において用いられる基準値データＤｓを記憶する。
【００１９】
制御部２７は、本体部２を構成する各部を制御する。具体的には、制御部２７は、ＬＡＮケーブル１０の被装着用コネクタ１３に装着されているターミネータ３を識別する識別検査、並びにＬＡＮケーブル１０における各導線１１の短絡、断線および誤配線の有無（つまり導線１１についての良否）を検査する導線検査を実行する。また、制御部２７は、識別検査および導線検査の結果を表示部２２に表示させる。
【００２０】
一方、ターミネータ３は、図１に示すように、装着用コネクタ３０、ＬＡＮケーブル１０の導線１１の本数と同数の（本発明における複数の一例であって、この例では８個）の抵抗Ｒａ〜Ｒｈ（以下、区別しないときには「抵抗Ｒ」ともいう）、選択接続部３１およびターミネータ識別用のコンデンサＣを備えて構成されている。装着用コネクタ３０は、ＬＡＮケーブル１０における被装着用コネクタ１２のピン１２１ａ〜１２１ｈ、および被装着用コネクタ１３のピン１３１ａ〜１３１ｈに接続可能なピン３０１ａ〜３０１ｈを備え、両被装着用コネクタ１２，１３のいずれか一方に装着可能に構成されている（同図では被装着用コネクタ１３に装着した状態を図示している）。抵抗Ｒａ〜Ｒｈは、各々の一端部（同図における右側端部）が相互に共通接続されると共に、各々の他端部（同図における左側端部）が装着用コネクタ３０のピン３０１ａ〜３０１ｈにそれぞれ接続されている。また、各抵抗Ｒａ〜Ｒｈは、各々の抵抗値が互いに異なり、かつ各抵抗Ｒａ〜Ｒｈのうちの任意の２つの抵抗Ｒの組み合わせの直列合成抵抗値と任意の２つの抵抗Ｒの他の組み合わせの直列合成抵抗値とが互いに異なるように規定されている。
【００２１】
選択接続部３１は、一例として、２つのスイッチ（例えば、ディップスイッチ）を備えて構成されている。この場合、一方のスイッチは、操作に応じて、各抵抗Ｒにおける任意の１つの他端部とコンデンサＣの一方の端部とを接続する。また、他方のスイッチは、選択操作に応じて、上記一方のスイッチによって接続された上記１つの抵抗Ｒを除く他の抵抗Ｒの他端部とコンデンサＣの他方の端部とを接続する。つまり、コンデンサＣは、２つのスイッチを介して、任意の２つの抵抗Ｒの他端部の間に接続される。この場合、コンデンサＣは、上記した交流成分Ｖ（ＡＣ）の周波数におけるインピーダンスが２つの抵抗Ｒの直列合成抵抗値よりも十分に小さくなるように、その容量値が予め規定されている。なお、図１では、一例として、抵抗Ｒａと抵抗Ｒｂとの間にコンデンサＣが接続されている状態を図示している。この場合、このコンデンサＣを備えたターミネータ３を用いることで、後に詳述するように、識別検査および導線検査を正確に行うことが可能となっている。
【００２２】
次に、検査装置１の使用方法および、検査装置１における各部の動作について説明する。
【００２３】
例えば、建物の壁内に８本のＬＡＮケーブル１０（ＬＡＮケーブル１０ａ〜１０ｈ）が敷設されており、全てのＬＡＮケーブル１０の各被装着用コネクタ１２が建物内のＡ地点において壁から引き出され、各ＬＡＮケーブル１０の各被装着用コネクタ１３が互いに離れた地点（Ｂ１地点〜Ｂ８地点）においてそれぞれ壁から引き出されている場合において、それらの各ＬＡＮケーブル１０を用いてＬＡＮを構築する際には、各ＬＡＮケーブル１０毎の被装着用コネクタ１２と被装着用コネクタ１３とのペアを特定すると共に、各ＬＡＮケーブル１０の各導線１１についての良否を検査する必要がある。この際には、まず、検査装置１を用いて、各ＬＡＮケーブル１０毎の被装着用コネクタ１２と被装着用コネクタ１３とのペアを特定するための識別検査を行う。
【００２４】
この識別検査では、８つのターミネータ３（ターミネータ３ａ〜３ｈ）を用意し、各々の選択接続部３１を操作（選択操作）して、各ターミネータ３毎に組み合わせが互いに異なるように選択した２つの抵抗Ｒの他端部の間にコンデンサＣを接続させる。この場合、一例として、ターミネータ３ａにおいては抵抗Ｒａ，Ｒｂ間に、ターミネータ３ｂにおいては抵抗Ｒｂ，Ｒｃ間に、ターミネータ３ｃにおいては抵抗Ｒｃ，Ｒｄ間に、ターミネータ３ｄにおいては抵抗Ｒｄ，Ｒｅ間に、ターミネータ３ｅにおいては抵抗Ｒｅ，Ｒｆ間に、ターミネータ３ｆにおいては抵抗Ｒｆ，Ｒｇ間に、ターミネータ３ｇにおいては抵抗Ｒｇ，Ｒｈ間に、ターミネータ３ｈにおいては抵抗Ｒａ，Ｒｈ間にコンデンサＣをそれぞれ接続したものとする。
【００２５】
次いで、上記したＢ１地点〜Ｂ８地点において、図１に示すように、各ターミネータ３ａ〜３ｈを各ＬＡＮケーブル１０ａ〜１０ｈの各被装着用コネクタ１３にそれぞれ装着する。続いて、上記したＡ地点において、各ＬＡＮケーブル１０ａ〜１０ｈの各被装着用コネクタ１２を本体部２の各検査用コネクタ２０ａ〜２０ｈにそれぞれ装着する。
【００２６】
次いで、操作部２１のモード選択スイッチを操作して識別検査モードを選択した後に、操作部２１のスタートスイッチを操作する。これに応じて、制御部２７が、識別検査を実行する。この識別検査では、制御部２７は、まず、検査用コネクタ２０ａに被装着用コネクタ１２が装着されているＬＡＮケーブル１０における８本の導線１１ａ〜１１ｈのうちの２本の導線１１に第１直流電圧Ｖｔ１を供給させる第１電圧供給処理を実行する。具体的には、制御部２７は、接続切替え部２４を制御して、２本の導線１１（例えば、導線１１ａ，１１ｂ）の一方（例えば、導線１１ａ）と第１電源部２３ａとをピン１２１ａ，２０１ａを介して接続させると共に２本の導線１１ａ，１１ｂの他方（この例では、導線１１ｂ）と検査用抵抗Ｒｔの他端部とをピン１２１ｂ，２０１ｂを介して接続させる。また、制御部２７は、第１電源部２３ａを制御して第１直流電圧Ｖｔ１の出力を開始させる。これにより、導線１１ａとグランド電位との間に第１直流電圧Ｖｔ１が供給される。この際に、電圧測定部２５が、第１直流電圧Ｖｔ１の供給によって検査用抵抗Ｒｔの両端部に生じる電圧Ｖｇを測定して電圧データＤｏを制御部２７に出力する。
【００２７】
ここで、上記２本の導線１１ａ，１１ｂに接続されたターミネータ３内の抵抗Ｒａ，Ｒｂにおける各他端部の間にコンデンサＣが接続されていないときには、図３に示すように、抵抗Ｒａ，Ｒｂおよび検査用抵抗Ｒｔが直列接続された回路が構成される。この場合には、第１直流電圧Ｖｔ１の供給に伴って生じる検査用抵抗Ｒｔの両端部に生じる電圧Ｖｇは、図４に示すように、第１直流電圧Ｖｔ１の交流成分Ｖ（ＡＣ）および直流成分Ｖ（ＤＣ）の双方が抵抗Ｒａ，Ｒｂおよび検査用抵抗Ｒｔの抵抗値に応じて分圧された各成分の合成電圧として測定される。具体的には、Ｖｔ１＝Ｖ（ＡＣ）＋Ｖ（ＤＣ）とした場合、電圧Ｖｇは、振幅が｛［Ｖ（ＡＣ）＋Ｖ（ＤＣ）］×Ｒｔ／（Ｒａ＋Ｒｂ＋Ｒｔ）｝で表されて（この例では、［２×Ｒｔ／（Ｒａ＋Ｒｂ＋Ｒｔ）］Ｖ）、電圧値がプラスの範囲で周期的に変化する直流電圧として測定される。
【００２８】
一方、上記２本の導線１１ａ，１１ｂに接続されたターミネータ３内の抵抗Ｒａ，Ｒｂにおける各他端部の間にコンデンサＣが接続されているときには、図５に示すように、抵抗Ｒａ，Ｒｂおよび検査用抵抗Ｒｔが直列接続されると共に、抵抗Ｒａ，Ｒｂの他端部の間にコンデンサＣが接続された回路が構成される。この場合には、第１直流電圧Ｖｔ１の供給に伴って生じる検査用抵抗Ｒｔの両端部に生じる電圧Ｖｇは、図６に示すように、コンデンサＣを通過して抵抗Ｒａ，Ｒｂによって分圧されていない状態の第１直流電圧Ｖｔ１の交流成分Ｖ（ＡＣ）と、抵抗Ｒａ，Ｒｂおよび検査用抵抗Ｒｔの抵抗値に応じて分圧された第１直流電圧Ｖｔ１の直流成分Ｖ（ＤＣ）との合成電圧として測定される。具体的には、電圧Ｖｇは、振幅が［Ｖ（ＡＣ）＋Ｖ（ＤＣ）］で表されて（この例では２Ｖ）、第１直流電圧Ｖｔ１を［Ｖ（ＤＣ）×Ｒｔ／（Ｒａ＋Ｒｂ＋Ｒｔ）］分だけ（この例では、［１×Ｒｔ／（Ｒａ＋Ｒｂ＋Ｒｔ）］Ｖだけ）マイナス側に移動させた電圧として測定される。
【００２９】
ここで、この検査装置１では、上記したように、振幅が２Ｖの交流成分Ｖ（ＡＣ）に電圧値が１Ｖの直流成分Ｖ（ＤＣ）を重畳させた第１直流電圧Ｖｔ１、つまり最小電圧値が０Ｖ（ほぼ０Ｖ）の第１直流電圧Ｖｔ１が用いられている。このため、抵抗Ｒａ，Ｒｂにおける各他端部の間にコンデンサＣが接続されているときには、コンデンサＣの存在によってマイナス側に移動された電圧Ｖｇは、図６に示すように、電圧値が周期的にマイナスとなる交流電圧として測定される。したがって、制御部２７は、電圧Ｖｇが交流電圧であるか否か（つまり電圧Ｖｇの電圧値が周期的にマイナスとなるマイナス成分が生じるか否か）を電圧データＤｏに基づいて判別することで、抵抗Ｒａ，Ｒｂにおける各他端部の間にコンデンサＣが接続されているか否かを判定することができる。なお、コンデンサＣが接続されている状態において、交流成分Ｖ（ＡＣ）と分圧後の直流成分Ｖ（ＤＣ）との合成電圧にマイナス成分が生じる限り、第１直流電圧Ｖｔ１における交流成分Ｖ（ＡＣ）および直流成分Ｖ（ＤＣ）の電圧値は任意に規定することができる。また、第１直流電圧Ｖｔ１の最小電圧値が０Ｖのときには、マイナス側への移動が僅かな場合であっても、電圧Ｖｇが確実に交流電圧として測定される（マイナス成分が生じる）。このため、第１直流電圧Ｖｔ１の最小電圧値が０Ｖ以上であって０Ｖにほぼ等しくなるように交流成分Ｖ（ＡＣ）および直流成分Ｖ（ＤＣ）の電圧値を規定するのが好ましい。
【００３０】
この場合、例えば、検査中のＬＡＮケーブル１０にターミネータ３ｂが装着されているときには、導線１１ａ，１１ｂに接続されたターミネータ３内の抵抗Ｒａ，Ｒｂの両他端部の間にコンデンサＣが接続されていないため、上記したように、マイナス成分が生じないこととなる。このため、制御部２７は、マイナス成分が生じていないと判別して、続いて、供給対象を導線１１ａ，１１ｂから導線１１ｂ，１１ｃに変更して、上記した第１電圧供給処理を実行する。この際に、電圧測定部２５が、第１直流電圧Ｖｔ１の供給によって検査用抵抗Ｒｔの両端に生じる電圧を測定して電圧データＤｏを制御部２７に出力し、制御部２７が、電圧データＤｏに基づいて電圧Ｖｇが交流電圧であるか否かを判別する。この場合、検査中のＬＡＮケーブル１０にターミネータ３ｂが装着されているため、導線１１ｂ，１１ｃに接続されている抵抗Ｒｂ，Ｒｃの両他端部の間にコンデンサＣが接続されている。このため、制御部２７は、電圧Ｖｇが交流電圧であると判別して、検査中のＬＡＮケーブル１０に装着されているターミネータ３がターミネータ３ｂであることを識別して、その識別検査の結果として、例えば、そのＬＡＮケーブル１０が装着されている検査用コネクタ２０ａを示す番号と識別したターミネータ３ｂを示す番号とを表示部２２に表示させる。
【００３１】
次いで、制御部２７は、同様にして、検査用コネクタ２０ｂ〜２０ｈに被装着用コネクタ１２が装着されている各ＬＡＮケーブル１０に装着されている各ターミネータ３の識別検査を行うと共に、その識別検査の結果に基づく表示を行う。これにより、各ＬＡＮケーブル１０における両被装着用コネクタ１２，１３のペアが特定される。
【００３２】
次に、識別作業が終了した８本のＬＡＮケーブル１０における各導線１１についての導線検査を行う。この場合、操作部２１の変更スイッチを操作して導線検査モードを選択した後に、操作部２１のスタートスイッチを操作する。これに応じて、制御部２７が、検査用コネクタ２０ａに被装着用コネクタ１２が装着されているＬＡＮケーブル１０における８本の導線１１ａ〜１１ｈのうちの２本の導線１１に第２直流電圧Ｖｔ２を供給させる第２供給処理を実行する。具体的には、制御部２７が、接続切替え部２４を制御して、２本の導線１１（例えば、導線１１ａ，１１ｂ）の一方（例えば、導線１１ａ）と第２電源部２３ｂとをピン１２１ａ，２０１ａを介して接続させると共に、２本の導線１１ａ，１１ｂの他方（この例では、導線１１ｂ）と検査用抵抗Ｒｔの他端部とをピン１２１ｂ，２０１ｂを介して接続させる。また、制御部２７は、第２電源部２３ｂを制御して第２直流電圧Ｖｔ２の出力を開始させる。これにより、導線１１ａとグランド電位との間に第２直流電圧Ｖｔ２が供給される。この際に、電圧測定部２５が、第２直流電圧Ｖｔ２の供給によって検査用抵抗Ｒｔの両端部に生じる電圧Ｖｇを測定して電圧データＤｏを制御部２７に出力する。
【００３３】
続いて、制御部２７は、上記２本の導線１１ａ，１１ｂに断線や短絡がなくかつ各導線１１ａ，１１ｂが被装着用コネクタ１２，１３に正しく接続されされているときの電圧Ｖｇの電圧範囲を示す基準値を示す基準値データＤｓを記憶部２６から読み出す。次いで、制御部２７は、読み出した基準値データＤｓによって特定される基準値と電圧データＤｏによって特定される電圧Ｖｇとを比較することにより、２本の導線１１ａ，１１ｂについての良否を検査する導線検査を行う。具体的には、制御部２７は、電圧Ｖｇが基準値の範囲内のときには、２本の導線１１ａ，１１ｂが正常に接続されていると判別する。一方、制御部２７は、電圧Ｖｇが基準値の範囲外のときには、２本の導線１１ａ，１１ｂに断線や短絡が発生しているか、または各導線１１ａ，１１ｂが被装着用コネクタ１２，１３に正しく接続されていないと判別する。続いて、制御部２７は、供給対象を導線１１ａ，１１ｂから導線１１ｂ，１１ｃに変更して、上記した第２電圧供給処理を実行すると共に、その状態において導線１１ｂ，１１ｃについての導線検査を行う。次いで、制御部２７は、同様にして、他の導線１１についての導線検査を行う。
【００３４】
続いて、制御部２７は、導線検査の結果に基づいて検査用コネクタ２０ａに被装着用コネクタ１２が装着されているＬＡＮケーブル１０の全ての導線１１についての導線検査が終了したときに、その検査結果を表示部２２に表示させる。次いで、制御部２７は、検査用コネクタ２０ｂ〜２０ｈに被装着用コネクタ１２が装着されている各ＬＡＮケーブル１０の各導線１１についての導線検査およびその導線検査の結果に基づく表示を行う。ここで、この検査装置１では、各抵抗Ｒのうちのいずれか２つにおける各他端部の間に接続されたコンデンサＣを備えてターミネータ３が構成されている。このため、所定の２つの抵抗の直列合成抵抗値を各ターミネータ毎に全て互いに異ならせる必要のある従来のターミネータとは異なり、コンデンサＣを接続する２つの抵抗Ｒの組み合わせの種類を各ターミネータ３毎に異ならせることで、複数のターミネータ３を識別する識別検査を行うことが可能となっている。このため、識別検査および導線検査の双方を行う際に、所定の２つの抵抗の直列合成抵抗値を各ターミネータ毎に互いに異ならせる必要がない分だけ２つの抵抗の組み合わせの種類が少なくなる結果、１つの組み合わせにおける電圧Ｖｇの値と他の１つの組み合わせにおける電圧Ｖｇの値との差が十分に大きくなる。したがって、このターミネータ３および検査装置１では、本体部２の電圧測定部２５等の内部回路を必要以上に高性能に構成することなく識別検査および導線検査を正確に行うことが可能となっている。
【００３５】
このように、このターミネータ３および検査装置１によれば、任意の２つの抵抗の組み合わせの直列合成抵抗値と任意の２つの抵抗の他の組み合わせの直列合成抵抗値とが互いに異なる複数の抵抗Ｒのうちのいずれか２つにおける各他端部の間に接続されたコンデンサＣを備えてターミネータ３を構成したことにより、コンデンサＣを接続する２つの抵抗Ｒの組み合わせを各ターミネータ３毎に異ならせることで複数のターミネータ３を識別する識別検査を行うことができる。このため、識別検査および導線検査の双方を行う際に、所定の２つの抵抗Ｒの直列合成抵抗値を各ターミネータ３毎に全て互いに異ならせる必要がない分だけ２つの抵抗の組み合わせの種類を少なくすることができる結果、１つの組み合わせにおける電圧Ｖｇの値と他の１つの組み合わせにおける電圧Ｖｇの値との差を十分に大きくすることができる。したがって、このターミネータ３および検査装置１によれば、本体部２の電圧測定部２５等の内部回路を必要以上に高性能に構成することなく、つまり装置価格を低く抑えつつ識別検査および導線検査を十分に正確に行うことができる。
【００３６】
また、このターミネータ３および検査装置１によれば、選択操作によって選択された任意の２つの抵抗Ｒの間にコンデンサＣを接続可能な選択接続部３１を備えてターミネータ３を構成したことにより、全てのターミネータ３を同じ構成とすることができるため、コンデンサＣが接続された２つの抵抗Ｒの組み合わせが互いに異なる複数種類のターミネータを製造するのと比較して、ターミネータ３の製造コストひいては検査装置１の製造コストを十分に低く抑えることができる。
【００３７】
なお、本発明は、上記した構成に限定されない。例えば、多芯ケーブルの一例としてのＬＡＮケーブル１０を検査可能に構成した例について説明したが、本体部２の検査用コネクタ２０、およびターミネータ３の装着用コネクタ３０を変更することで、各種の多芯ケーブルを検査可能に検査装置１を構成することができる。また、選択接続部３１を備えて任意に選択した２つの抵抗Ｒの他端部の間にコンデンサＣを接続可能にターミネータ３を構成した例について上記したが、選択接続部３１を備えることなく、予め規定された所定の２つの抵抗Ｒの他端部の間にコンデンサＣを接続したターミネータ３を採用することもできる。また、８つの抵抗Ｒａ〜Ｒｈを備えたターミネータ３を例に挙げて説明したが、抵抗Ｒの数はこれに限定されず、検査対象の多芯ケーブルが有する導線の数に応じて適宜変更することができる。
【００３８】
また、操作部２１の操作によって識別検査モードと導線検査モードとを切り替える（手動切替えを行う）例について上記したが、例えば、各ＬＡＮケーブル１０に接続されている各ターミネータ３についての識別検査および導線検査モードのいずれか一方が終了した時点で制御部２７が識別検査および導線検査モードの他方に切替え制御する（自動的切替えを行う）構成を採用することもできる。また、１つのＬＡＮケーブル１０に接続されているターミネータ３についての識別検査と、そのＬＡＮケーブル１０についての導線検査とを一連の検査として連続して行うように制御部２７が各部を制御する構成を採用することもできる。
【図面の簡単な説明】
【００３９】
【図１】検査装置１およびＬＡＮケーブル１０の構成を示すブロック図である。
【図２】第１直流電圧Ｖｔ１の波形を示す波形図である。
【図３】抵抗Ｒａ，Ｒｂおよび検査用抵抗Ｒｔによって構成される回路を示す回路図である。
【図４】識別検査において測定される電圧Ｖｇの波形を示す波形図である。
【図５】抵抗Ｒａ，Ｒｂ、検査用抵抗ＲｔおよびコンデンサＣによって構成される回路を示す回路図である。
【図６】識別検査において測定される電圧Ｖｇの波形を示す波形図である。
【符号の説明】
【００４０】
１  検査装置
２  本体部
３ａ〜３ｈ  ターミネータ
１０ａ〜１０ｈ  ＬＡＮケーブル
１１ａ〜１１ｈ  導線
１２  被装着用コネクタ
１３  被装着用コネクタ
２０ａ〜２０ｈ  検査用コネクタ
２３ａ  第１電源部
２３ｂ  第２電源部
２４  接続切替え部
２５  電圧測定部
２６  記憶部
２７  制御部
３０  装着用コネクタ
３１  選択接続部
Ｃ  コンデンサ
Ｒａ〜Ｒｈ  抵抗
Ｒｔ  検査用抵抗
【図１】
2009204585.tif 000003
【図２】
2009204585.tif 000004
【図３】
2009204585.tif 000005
【図４】
2009204585.tif 000006
【図５】
2009204585.tif 000007
【図６】
2009204585.tif 000008